(57)【要約】【課題】  できるかぎり軽量で簡易に施工できる構造を持つ据付空間の中に据え付けられる据付構造体とそのための水平支持構造を提供する。【解決手段】  従来の据付構造体に変わって、主構造体と前記主構造体または前記壁面のどちらか一方に設けられた取付箇所と該取付箇所に対面する様に他方に設けられた対面箇所との間に設けられて前記主構造体を水平支持できる複数の複数の水平支持構造は、長手方向を水平にして一方の端部の側を前記取付箇所に支持され他方の端部の側を前記対面箇所に向ける複数の支持部材と、複数の前記支持部材の他方の端部の側に支持される当接部材ベースと該当接部材ベースに支持され前記対面箇所に当接できる様に対面する当接面を形成する弾性部材とを持つ当接部材と、柱状部材であって一方の端部の側を前記取付箇所に当接し他方の端部の側を前記当接部材ベースに当接する第一中間部材を持つ中間部材と、を有する、ものとした。【選択図】    図１
2017172110.tif 000002
【特許請求の範囲】
【請求項１】
内側に向く壁面を持つ空間である据付空間の中に据え付けられる据付構造体であって、
複数の柱構造と複数の該柱構造の間に設けられ両端部を該柱構造に支持される複数の梁構造とを持つ主構造体と、
前記主構造体または前記壁面のどちらか一方に設けられた取付箇所と該取付箇所に対面する様に前記主構造体または前記壁面のどちらか他方に設けられた対面箇所との間に設けられて前記主構造体を水平支持できる複数の水平支持構造と、
を備え、
前記水平支持構造は、
長尺部材であって長手方向を水平にして一方の端部の側を前記取付箇所に支持され他方の端部の側を前記対面箇所に向ける複数の支持部材と、
複数の前記支持部材の他方の端部の側に支持される板状部材である当接部材ベースと該当接部材ベースに支持され前記対面箇所に当接できる様に対面する当接面を形成する弾性素材とでできた部材である弾性部材とを持つ当接部材と、
柱状部材であって軸方向を水平にして一方の端部の側を前記取付箇所に当接し他方の端部の側を前記当接部材ベースに当接する第一中間部材を持つ中間部材と、
を有する、
ことを特徴とする据付構造体。
【請求項２】
前記支持部材は他方の端部の側で前記当接部材ベースを貫通する棒状部材と該棒状部材にネジ結合する締結部材とを持ち、
前記締結部材は前記棒状部材にネジ込まれ前記第一中間部材と前記当接部材ベースとを一体として前記取付箇所に押付ける、
ことを特徴とする請求項１に記載の据付構造体。
【請求項３】
前記中間部材は、前記取付箇所と前記当接部材との間にある位置である特定位置に設けられる第二中間部材と、
を持ち、
前記第二中間部材は複数の前記支持部材と前記第一中間部材とに各々に貫通される、
ことを特徴とする請求項２に記載の据付構造体。
【請求項４】
前記中間部材は、第三中間部材と、
を持ち、
前記第三中間部材は、前記第二中間部材を前記支持部材に固定する、
ことを特徴とする請求項３に記載の据付構造体。
【請求項５】
前記水平支持構造は、
前記取付箇所の上側に配され柱部材を挟む一対の上側基礎部材と前記取付箇所の下側に配され柱部材を挟む一対の下側基礎部材とを持つ基礎部材と、
を有し、
複数の前記支持部材が一方の端部の側を一対の前記上側基礎部材を介して前記取付箇所に支持される上側支持部材と一方の端部の側を一対の前記下側基礎部材を介して前記取付箇所を支持される下側支持部材とを持つ、
ことを特徴とする請求項４に記載の据付構造体。
【請求項６】
前記上側支持部材が一対の上側基礎部材を貫通する前記棒状部材である上側棒状部材と該上側棒状部材にネジ結合する前記締結部材である複数の上側締結部材とを持ち、
前記下側支持部材が一対の下側基礎部材を貫通する前記棒状部材である下側棒状部材と該下側棒状部材にネジ結合する締結部材である複数の下側締結部材とを持ち、
一対の上側基礎部材が柱部材を挟み込む様に複数の上側締結部材が前記上側棒状部材にねじ込まれ、
一対の下側基礎部材が柱部材を挟み込む様に複数の下側締結部材が前記下側棒状部材にねじ込まれる、
ことを特徴とする請求項５に記載の据付構造体。
【請求項７】
内側に向く壁面を持つ空間である据付空間の中に据え付けられる据付構造体であって、
複数の柱構造と複数の該柱構造の間に設けられ両端部を該柱構造に支持される複数の梁構造とを持つ主構造体と
前記主構造体または前記壁面のどちらか一方に設けられた取付箇所と該取付箇所に対面する様に前記主構造体または前記壁面のどちらか他方に設けられた対面箇所との間に設けられて前記主構造体を水平支持できる複数の水平支持構造と
と、
を備え、
前記水平支持構造は、
長尺部材であって長手方向を水平にして一方の端部の側を前記取付箇所に支持され他方の端部の側を前記対面箇所に向ける複数の支持部材と、
複数の前記支持部材の他方の端部の側に支持される板状部材である当接部材ベースと該当接部材ベースに支持され前記対面箇所に当接できる様に対面する当接面を形成する弾性素材とでできた部材である弾性部材とを持つ当接部材と、
前記取付箇所の上側に配され柱部材を挟む一対の上側基礎部材と前記取付箇所の下側に配され柱部材を挟む一対の下側基礎部材とを持つ基礎部材と、
を有し、
複数の前記支持部材が一方の端部の側を一対の前記上側基礎部材を介して前記取付箇所に支持される上側支持部材と一方の端部の側を一対の前記下側基礎部材を介して前記取付箇所を支持される下側支持部材とを持つ、
ことを特徴とする据付構造体。
【請求項８】
前記上側支持部材が一対の上側基礎部材を貫通する前記棒状部材である上側棒状部材と該上側棒状部材にネジ結合する前記締結部材である複数の上側締結部材とを持ち、
前記下側支持部材が一対の下側基礎部材を貫通する前記棒状部材である下側棒状部材と該下側棒状部材にネジ結合する締結部材である複数の下側締結部材とを持ち、
一対の上側基礎部材が柱部材を挟み込む様に複数の上側締結部材が前記上側棒状部材にねじ込まれ、
一対の下側基礎部材が柱部材を挟み込む様に複数の下側締結部材が前記下側棒状部材にねじ込まれる、
ことを特徴とする請求項７に記載の据付構造体。
【請求項９】
複数の柱構造と複数の該柱構造の間に設けられ両端部を該柱構造に支持される複数の梁構造とを持ち内側に向く壁面を持つ空間である据付空間の中に据え付けられる主構造体を水平支持できる水平支持構造であって、
前記主構造体または前記壁面のどちらか一方に設けられた取付箇所と該取付箇所に対面する様に前記主構造体または前記壁面のどちらか他方に設けられた対面箇所との間に設けられ、
長尺部材であって長手方向を水平にして一方の端部の側を前記取付箇所に支持され他方の端部の側を前記対面箇所に向ける複数の支持部材と、
複数の前記支持部材の他方の端部の側に支持される板状部材である当接部材ベースと該当接部材ベースに支持され前記対面箇所に当接できる様に対面する当接面を形成する弾性素材とでできた部材である弾性部材とを持つ当接部材と、
柱状部材であって軸方向を水平にして一方の端部の側を前記取付箇所に当接し他方の端部の側を前記当接部材ベースに当接する第一中間部材を持つ中間部材と、
を備える、
ことを特徴とする水平支持構造。
【請求項１０】
前記支持部材は他方の端部の側で前記当接部材ベースを貫通する棒状部材と該棒状部材にネジ結合する締結部材とを有し、
前記締結部材は前記棒状部材にネジ込まれ前記第一中間部材と前記当接部材ベースとを一体として前記取付箇所に押付ける、
ことを特徴とする請求項９に記載の水平支持構造。
【請求項１１】
前記中間部材は、前記取付箇所と前記当接部材との間にある位置である特定位置に設けられる第二中間部材と、
を有し、
前記第二中間部材は複数の前記支持部材と前記第一中間部材とに各々に貫通される
ことを特徴とする請求項１０に記載の水平支持構造。
【請求項１２】
前記中間部材は、第三中間部材と、
を有し、
前記第三中間部材は、前記第二中間部材を前記支持部材に固定する、
ことを特徴とする請求項１１に記載の水平支持構造。
【請求項１３】
前記取付箇所の上側に配され柱部材を挟む一対の上側基礎部材と前記取付箇所の下側に配され柱部材を挟む一対の下側基礎部材とを持つ基礎部材と、
を備え、
複数の前記支持部材が一方の端部の側を一対の前記上側基礎部材を介して前記取付箇所に支持される上側支持部材と一方の端部の側を一対の前記下側基礎部材を介して前記取付箇所を支持される下側支持部材とを持つ、
ことを特徴とする請求項１２に記載の水平支持構造。
【請求項１４】
前記上側支持部材が一対の上側基礎部材を貫通する前記棒状部材である上側棒状部材と該上側棒状部材にネジ結合する前記締結部材である複数の上側締結部材とを有し、
前記下側支持部材が一対の下側基礎部材を貫通する前記棒状部材である下側棒状部材と該下側棒状部材にネジ結合する締結部材である複数の下側締結部材とを有し、
一対の上側基礎部材が柱部材を挟み込む様に複数の上側締結部材が前記上側棒状部材にねじ込まれ、
一対の下側基礎部材が柱部材を挟み込む様に複数の下側締結部材が前記下側棒状部材にねじ込まれる、
ことを特徴とする請求項１３に記載の水平支持構造。
【請求項１５】
複数の柱構造と複数の該柱構造の間に設けられ両端部を該柱構造に支持される複数の梁構造とを持ち内側に向く壁面を持つ空間である据付空間の中に据え付けられる主構造体を水平支持できる水平支持構造であって、
前記主構造体または前記壁面のどちらか一方に設けられた取付箇所と該取付箇所に対面する様に前記主構造体または前記壁面のどちらか他方に設けられた対面箇所との間に設けられ、
長尺部材であって長手方向を水平にして一方の端部の側を前記取付箇所に支持され他方の端部の側を前記対面箇所に向ける複数の支持部材と、
複数の前記支持部材の他方の端部の側に支持される板状部材である当接部材ベースと該当接部材ベースに支持され前記対面箇所に当接できる様に対面する当接面を形成する弾性素材とでできた部材である弾性部材とを持つ当接部材と、
前記取付箇所の上側に配され柱部材を挟む一対の上側基礎部材と前記取付箇所の下側に配され柱部材を挟む一対の下側基礎部材とを持つ基礎部材と、
を備え、、
複数の前記支持部材が一方の端部の側を一対の前記上側基礎部材を介して前記取付箇所に支持される上側支持部材と一方の端部の側を一対の前記下側基礎部材を介して前記取付箇所を支持される下側支持部材とを有する、
ことを特徴とする水平支持構造。
【請求項１６】
前記上側支持部材が一対の上側基礎部材を貫通する前記棒状部材である上側棒状部材と該上側棒状部材にネジ結合する前記締結部材である複数の上側締結部材とを有し、
前記下側支持部材が一対の下側基礎部材を貫通する前記棒状部材である下側棒状部材と該下側棒状部材にネジ結合する締結部材である複数の下側締結部材とを有し、
一対の上側基礎部材が柱部材を挟み込む様に複数の上側締結部材が前記上側棒状部材にねじ込まれ、
一対の下側基礎部材が柱部材を挟み込む様に複数の下側締結部材が前記下側棒状部材にねじ込まれる、
ことを特徴とする請求項１５に記載の水平支持構造。
【発明の詳細な説明】
【技術分野】
【０００１】
本発明は、内側に向く壁面を有する空間である据付空間の中に据え付けられる据付構造体とその水平支持構造とに係る。
【背景技術】
【０００２】
据付構造体を内側に向く壁面を持つ空間である据付空間の中に据え付ける場合がある。
例えば、機械装置を支持する主構造体を建物等の内側に形成される据付空間の中に据え付ける。
据付空間は内側に向く壁面を持つ。
例えば、駐車装置を支持する主構造体を建物等の内側に形成される据付空間の中に据え付ける。
主構造体は、複数の柱構造と複数の柱構造の間に設けられ両端部を柱構造に支持される複数の梁構造とを有する。
機械装置は、柱構造と梁構造とで構成される主構造体に支持される。
例えば、駐車装置は、柱構造に支持される。
【０００３】
複数の水平支持構造が、主構造体と壁面との間に設けられる。
地震等が発生したときに、複数の水平支持構造は、機械装置を据付空間のなかに安定して支持する。
【０００４】
一般に、水平支持構造は複数の支持部材と弾性部材とで構成される。
例えば、支持部材は、長尺部材であって軸方向を水平にして一方の端部の側を柱構造または梁構造に支持され、他方の端部の側を壁面に向ける。
当接部材は、複数の支持部材の他方の端部の側に支持され壁面に当接する様に対面する当接面を形成する弾性素材でできた弾性部材で構成される。
特に地震等が発生したとき、大きな水平力が水平支持構造の支持部材に作用する。
柱構造または梁構造と壁面との間隔が大きくなると、水平支持構造の座屈現象を考慮する。
一方、水平支持構造を据え付ける際の作業性を考慮して、水平支持構造はできるだけ軽量で簡単な構造であるのが望ましい。
【発明の概要】
【発明が解決しようとする課題】
【０００５】
本発明は以上に述べた問題点に鑑み案出されたもので、できるかぎり軽量で簡易に施工できる構造を持つ据付空間の中に据え付けられる据付構造体とそのための水平支持構造を提供する。
【課題を解決するための手段】
【０００６】
上記目的を達成するため、本発明に係る内側に向く壁面を持つ空間である据付空間の中に据え付けられる据付構造体であって、複数の柱構造と複数の該柱構造の間に設けられ両端部を該柱構造に支持される複数の梁構造とを持つ主構造体と、前記主構造体または前記壁面のどちらか一方に設けられた取付箇所と該取付箇所に対面する様に前記主構造体または前記壁面のどちらか他方に設けられた対面箇所との間に設けられて前記主構造体を水平支持できる複数の水平支持構造と、を備え、前記水平支持構造は、長尺部材であって長手方向を水平にして一方の端部の側を前記取付箇所に支持され他方の端部の側を前記対面箇所に向ける複数の支持部材と、複数の前記支持部材の他方の端部の側に支持される板状部材である当接部材ベースと該当接部材ベースに支持され前記対面箇所に当接できる様に対面する当接面を形成する弾性素材とでできた部材である弾性部材とを持つ当接部材と、柱状部材であって軸方向を水平にして一方の端部の側を前記取付箇所に当接し他方の端部の側を前記当接部材ベースに当接する第一中間部材を持つ中間部材と、を有する、ものとした。
【０００７】
上記本発明の構成により、主構造体は、複数の柱構造と複数の該柱構造の間に設けられ両端部を該柱構造に支持される複数の梁構造とを持つ。複数の水平支持構造は、前記主構造体または前記壁面のどちらか一方に設けられた取付箇所と該取付箇所に対面する様に前記主構造体または前記壁面のどちらか他方に設けられた対面箇所との間に設けられて前記主構造体を水平支持できる。前記水平支持構造は複数の支持部材と当接部材と中間部材とを有する。複数の支持部材は、長尺部材であって長手方向を水平にして一方の端部の側を前記取付箇所に支持され他方の端部の側を前記対面箇所に向ける。当接部材は、複数の前記支持部材の他方の端部の側に支持される板状部材である当接部材ベースと該当接部材ベースに支持され前記対面箇所に当接できる様に対面する当接面を形成する弾性素材とでできた部材である弾性部材とを持つ。中間部材の第一中間部材は、柱状部材であって軸方向を水平にして一方の端部の側を前記取付箇所に当接し他方の端部の側を前記当接部材ベースに当接する。
その結果、弾性部材が対面箇所に当接したときに水平支持構造が当接部材ベースと第一中間部材とを介して主構造体を水平支持できる。
【０００８】
以下に、本発明の実施形態に係る据付構造体を説明する。本発明は、以下に記載した実施形態のいずれか、またはそれらの中の二つ以上が組み合わされた態様を含む。
【０００９】
本発明の実施形態に係る据付構造体は、前記支持部材は他方の端部の側で前記当接部材ベースを貫通する棒状部材と該棒状部材にネジ結合する締結部材とを持ち、前記締結部材は前記棒状部材にネジ込まれ前記第一中間部材と前記当接部材ベースとを一体として前記取付箇所に押付ける。
上記の実施形態の構成により、前記支持部材は他方の端部の側で前記当接部材ベースを貫通する棒状部材と該棒状部材にネジ結合する締結部材とを持つ。前記締結部材は前記棒状部材にネジ込まれ前記第一中間部材と前記当接部材ベースとを一体として前記取付箇所に押付ける。
その結果、弾性部材が対面箇所に当接したときに水平支持構造が一体となった当接部材ベースと第一中間部材とを介して主構造体を水平支持できる。
【００１０】
本発明の実施形態に係る据付構造体は、前記中間部材は、前記取付箇所と前記当接部材との間にある位置である特定位置に設けられる第二中間部材と、を持ち、前記第二中間部材は複数の前記支持部材と前記第一中間部材とに各々に貫通される。
上記の実施形態の構成により、中間部材の第二中間部材は、前記取付箇所と前記当接部材との間にある位置である特定位置に設けられる。前記第二中間部材は複数の前記支持部材と前記第一中間部材とに各々に貫通される。
その結果、水平支持構造の前記取付箇所に近い箇所の剛性を上げられる。
【００１１】
本発明の実施形態に係る据付構造体は、前記中間部材は、第三中間部材と、を持ち、前記第三中間部材は、前記第二中間部材を前記支持部材に固定する。
上記の実施形態の構成により、前記第三中間部材は、前記第二中間部材を前記支持部材に固定する。
その結果、第二中間部材のずれを抑制できる。
【００１２】
本発明の実施形態に係る据付構造体は、前記水平支持構造は、前記取付箇所の上側に配され柱構造を挟む一対の上側基礎部材と前記取付箇所の下側に配され柱構造を挟む一対の下側基礎部材とを持つ基礎部材と、を有し、複数の前記支持部材が一方の端部の側を一対の前記上側基礎部材を介して前記取付箇所に支持される上側支持部材と一方の端部の側を一対の前記下側基礎部材を介して前記取付箇所を支持される下側支持部材とを持つ。
上記の実施形態の構成により、基礎部材は、前記取付箇所の上側に配され柱構造を挟む一対の上側基礎部材と前記取付箇所の下側に配され柱構造を挟む一対の下側基礎部材とを持つ。上側支持部材は、一方の端部の側を一対の前記上側基礎部材を介して前記取付箇所に支持される。下側支持部材は、一方の端部の側を一対の前記下側基礎部材を介して前記取付箇所を支持される。
その結果、水平支持構造を特別な加工をしていない主構造体に取付けることができる。
【００１３】
本発明の実施形態に係る据付構造体は、前記上側支持部材が一対の上側基礎部材を貫通する前記棒状部材である上側棒状部材と該上側棒状部材にネジ結合する前記締結部材である複数の上側締結部材とを持ち、前記下側支持部材が一対の下側基礎部材を貫通する前記棒状部材である下側棒状部材と該下側棒状部材にネジ結合する締結部材である複数の下側締結部材とを持ち、一対の上側基礎部材が柱構造を挟み込む様に複数の上側締結部材が前記上側棒状部材にねじ込まれ、一対の下側基礎部材が柱構造を挟み込む様に複数の下側締結部材が前記下側棒状部材にねじ込まれる。
上記の実施形態の構成により、前記上側支持部材が一対の上側基礎部材を貫通する前記棒状部材である上側棒状部材と該上側棒状部材にネジ結合する前記締結部材である複数の上側締結部材とを持つ。前記下側支持部材が一対の下側基礎部材を貫通する前記棒状部材である下側棒状部材と該下側棒状部材にネジ結合する締結部材である複数の下側締結部材とを持つ。一対の上側基礎部材が柱構造を挟み込む様に複数の上側締結部材が前記上側棒状部材にねじ込まれる。一対の下側基礎部材が柱構造を挟み込む様に複数の下側締結部材が前記下側棒状部材にねじ込まれる。
その結果、水平支持構造を特別な加工をしていない主構造体に取付ることができる。
【００１４】
上記目的を達成するため、本発明に係る複数の柱構造と複数の該柱構造の間に設けられ両端部を該柱構造に支持される複数の梁構造とを持ち内側に向く壁面を持つ空間である据付空間の中に据え付けられる主構造体を水平支持できる水平支持構造であって、前記主構造体または前記壁面のどちらか一方に設けられた取付箇所と該取付箇所に対面する様に前記主構造体または前記壁面のどちらか他方に設けられた対面箇所との間に設けられ、長尺部材であって長手方向を水平にして一方の端部の側を前記取付箇所に支持され他方の端部の側を前記対面箇所に向ける複数の支持部材と、複数の前記支持部材の他方の端部の側に支持される板状部材である当接部材ベースと該当接部材ベースに支持され前記対面箇所に当接できる様に対面する当接面を形成する弾性素材とでできた部材である弾性部材とを持つ当接部材と、柱状部材であって軸方向を水平にして一方の端部の側を前記取付箇所に当接し他方の端部の側を前記当接部材ベースに当接する第一中間部材を持つ中間部材と、を備える、ものとした。
【００１５】
上記本発明の構成により、主構造体は、複数の柱構造と複数の該柱構造の間に設けられ両端部を該柱構造に支持される複数の梁構造とを持ち、内側に向く壁面を持つ空間である据付空間の中に据え付けられる。水平支持構造は、前記主構造体または前記壁面のどちらか一方に設けられた取付箇所と該取付箇所に対面する様に前記主構造体または前記壁面のどちらか他方に設けられた対面箇所との間に設けられる。複数の支持部材は、長尺部材であって長手方向を水平にして一方の端部の側を前記取付箇所に支持され他方の端部の側を前記対面箇所に向ける。当接部材は、複数の前記支持部材の他方の端部の側に支持される板状部材である当接部材ベースと該当接部材ベースに支持され前記対面箇所に当接できる様に対面する当接面を形成する弾性素材とでできた部材である弾性部材とを持つ。中間部材の第一中間部材は、柱状部材であって軸方向を水平にして一方の端部の側を前記取付箇所に当接し他方の端部の側を前記当接部材ベースに当接する。
その結果、弾性部材が対面箇所に当接したときに水平支持構造が当接部材ベースと第一中間部材とを介して主構造体を支持できる。
【００１６】
以下に、本発明の実施形態に係る水平支持構造を説明する。本発明は、以下に記載した実施形態のいずれか、またはそれらの中の二つ以上が組み合わされた態様を含む。
【００１７】
本発明の実施形態に係る水平支持構造は、前記支持部材は他方の端部の側で前記当接部材ベースを貫通する棒状部材と該棒状部材にネジ結合する締結部材とを有し、前記締結部材は前記棒状部材にネジ込まれ前記第一中間部材と前記当接部材ベースとを一体として前記取付箇所に押付ける。
上記の実施形態の構成により、前記支持部材は他方の端部の側で前記当接部材ベースを貫通する棒状部材と該棒状部材にネジ結合する締結部材とを有する。前記締結部材は前記棒状部材にネジ込まれ前記第一中間部材と前記当接部材ベースとを一体として前記取付箇所に押付ける。
その結果、弾性部材が対面箇所に当接したときに水平支持構造が一体となった当接部材ベースと第一中間部材とを介して主構造体を支持できる。
【００１８】
本発明の実施形態に係る水平支持構造は、前記中間部材は、前記取付箇所と前記当接部材との間にある位置である特定位置に設けられる第二中間部材と、を有し、前記第二中間部材は複数の前記支持部材と前記第一中間部材とに各々に貫通され。
上記の実施形態の構成により、前記中間部材の第二中間部材は、前記取付箇所と前記当接部材との間にある位置である特定位置に設けられる。前記第二中間部材は複数の前記支持部材と前記第一中間部材とに各々に貫通され。
その結果、水平支持構造の前記取付箇所に近い箇所の剛性を上げられる。
【００１９】
本発明の実施形態に係る水平支持構造は、前記中間部材は、第三中間部材と、を有し、前記第三中間部材は、前記第二中間部材を前記支持部材に固定する。
上記の実施形態の構成により、中間部材の第三中間部材は、前記第二中間部材を前記支持部材に固定する。
その結果、第二中間部材のずれを抑制できる。
【００２０】
本発明の実施形態に係る水平支持構造は、前記取付箇所の上側に配され柱構造を挟む一対の上側基礎部材と前記取付箇所の下側に配され柱構造を挟む一対の下側基礎部材とを持つ基礎部材と、を備え、複数の前記支持部材が一方の端部の側を一対の前記上側基礎部材を介して前記取付箇所に支持される上側支持部材と一方の端部の側を一対の前記下側基礎部材を介して前記取付箇所を支持される下側支持部材とを持つ。
上記の実施形態の構成により、基礎部材は、前記取付箇所の上側に配され柱構造を挟む一対の上側基礎部材と前記取付箇所の下側に配され柱構造を挟む一対の下側基礎部材とを持つ。上側支持部材は、一方の端部の側を一対の前記上側基礎部材を介して前記取付箇所に支持される下側支持部材は、一方の端部の側を一対の前記下側基礎部材を介して前記取付箇所を支持される。
その結果、水平支持構造を特別な加工をしていない主構造体に取付ることができる。
【００２１】
本発明の実施形態に係る水平支持構造は、前記上側支持部材が一対の上側基礎部材を貫通する前記棒状部材である上側棒状部材と該上側棒状部材にネジ結合する前記締結部材である複数の上側締結部材とを有し、前記下側支持部材が一対の下側基礎部材を貫通する前記棒状部材である下側棒状部材と該下側棒状部材にネジ結合する締結部材である複数の下側締結部材とを有し、一対の上側基礎部材が柱構造を挟み込む様に複数の上側締結部材が前記上側棒状部材にねじ込まれ、一対の下側基礎部材が柱構造を挟み込む様に複数の下側締結部材が前記下側棒状部材にねじ込まれる。
上記の実施形態の構成により、前記上側支持部材が一対の上側基礎部材を貫通する前記棒状部材である上側棒状部材と該上側棒状部材にネジ結合する前記締結部材である複数の上側締結部材とを有する。前記下側支持部材が一対の下側基礎部材を貫通する前記棒状部材である下側棒状部材と該下側棒状部材にネジ結合する締結部材である複数の下側締結部材とを有する。一対の上側基礎部材が柱構造を挟み込む様に複数の上側締結部材が前記上側棒状部材にねじ込まれる。一対の下側基礎部材が柱構造を挟み込む様に複数の下側締結部材が前記下側棒状部材にねじ込まれる。
その結果、水平支持構造を特別な加工をしていない主構造体に取付ることができる。
【発明の効果】
【００２２】
以上説明したように、本発明に係る内側に向く壁面を持つ空間である据付空間の中に据え付けられる据付構造体は、その構成により、以下の効果を有する。
複数の支持部材が一方の端部の側を前記取付箇所に支持され、対面箇所に向けた他方の端部の側が前記対面箇所に対面する当接面を形成する弾性素材でできた弾性部材を支持する当接部材ベースを支持し、第一中間部材が取付箇所に一方の端部の側を当接し他方の端部の側を当接部材ベースに当接する様にしたので、弾性部材が対面箇所に当接したときに水平支持構造が当接部材ベースと第一中間部材とを介して主構造体を水平支持できる。
また、締結部材が棒状部材にネジ結合して前記第一中間部材と前記当接部材ベースとを一体として前記取付箇所に押付ける様にしたので、弾性部材が対面箇所に当接したときに水平支持構造が一体となった当接部材ベースと第一中間部材とを介して主構造体を水平支持できる。
また、複数の前記支持部材と前記第一中間部材とに各々に貫通される第二中間部材が取付箇所と当接部材との間に位置する様にしたので、水平支持構造の前記取付箇所に近い箇所の剛性を上げられる。
また、第三中間部材が前記第二中間部材を前記支持部材に固定する様にしたので、第二中間部材のずれを抑制できる。
また、取付箇所の上下に配され柱構造を挟む一対の上側基礎部材と一対の下側基礎部材を設け、支持部材の上側支持部材と下側支持部材との一方の端部の側を一対の上側基礎部材と一対の下側基礎部材を介して取付箇所に支持される様にしたので、水平支持構造を特別な加工をしていない主構造体に取付ることができる。
また、一対の上側基礎部材が柱構造を挟み込む様に複数の上側締結部材が一対の上側基礎部材を貫通する前記上側棒状部材にねじ込まれ、一対の下側基礎部材が柱構造を挟み込む様に複数の下側締結部材が一対の下側基礎部材を貫通する前記下側棒状部材にねじ込まれる様にしたので、水平支持構造を特別な加工をしていない主構造体に取付ることができる。
【００２３】
以上説明したように、本発明に係る複数の柱構造と複数の該柱構造の間に設けられ両端部を該柱構造に支持される複数の梁構造とを持ち内側に向く壁面を持つ空間である据付空間の中に据え付けられる主構造体を水平支持できる水平支持構造は、その構成により、以下の効果を有する。
複数の支持部材が一方の端部の側を前記取付箇所に支持され、対面箇所に向けた他方の端部の側が前記対面箇所に対面する当接面を形成する弾性素材でできた弾性部材を支持する当接部材ベースを支持し、第一中間部材が取付箇所に一方の端部の側を当接し他方の端部の側を当接部材ベースに当接する様にしたので、弾性部材が対面箇所に当接したときに水平支持構造が当接部材ベースと第一中間部材とを介して主構造体を水平支持できる。
また、締結部材が棒状部材にネジ結合して前記第一中間部材と前記当接部材ベースとを一体として前記取付箇所に押付ける様にしたので、弾性部材が対面箇所に当接したときに水平支持構造が一体となった当接部材ベースと第一中間部材とを介して主構造体を水平支持できる。
また、複数の前記支持部材と前記第一中間部材とに各々に貫通される第二中間部材が取付箇所と当接部材との間に位置する様にしたので、水平支持構造の前記取付箇所に近い箇所の剛性を上げられる。
また、第三中間部材が前記第二中間部材を前記支持部材に固定する様にしたので、第二中間部材のずれを抑制できる。
また、取付箇所の上下に配され柱構造を挟む一対の上側基礎部材と一対の下側基礎部材を設け、支持部材の上側支持部材と下側支持部材との一方の端部の側を一対の上側基礎部材と一対の下側基礎部材を介して取付箇所に支持される様にしたので、水平支持構造を特別な加工をしていない主構造体に取付ることができる。
また、一対の上側基礎部材が柱構造を挟み込む様に複数の上側締結部材が一対の上側基礎部材を貫通する前記上側棒状部材にねじ込まれ、一対の下側基礎部材が柱構造を挟み込む様に複数の下側締結部材が一対の下側基礎部材を貫通する前記下側棒状部材にねじ込まれる様にしたので、水平支持構造を特別な加工をしていない主構造体に取付ることができる。
従って、できるかぎり軽量で容易に施工できる構造を持つ据付空間の中に据え付けられる主構造体とそのための水平支持構造を提供できる。
【図面の簡単な説明】
【００２４】
【図１】本発明の実施形態に係る据付構造体の概念図である。
【図２】本発明の第一の実施形態に係る水平支持構造の平面図である。
【図３】本発明の第一の実施形態に係る水平支持構造の正面図である。
【図４】本発明の第一の実施形態に係る水平支持構造の側面図である。
【図５】本発明の第一の実施形態に係る水平支持構造のＣ−Ｃ矢視図である。
【図６】本発明の第一の実施形態に係る水平支持構造のＤ−Ｄ矢視図である。
【図７】本発明の第二の実施形態に係る水平支持構造の平面図である。
【図８】本発明の第三の実施形態に係る水平支持構造の平面図である。
【図９】本発明の第四の実施形態に係る水平支持構造の平面図である。
【発明を実施するための形態】
【００２５】
以下、本発明を実施するための形態を、図面を参照して説明する。
【００２６】
本発明の実施形態にかかる据付構造体を、図を基に、説明する。
図１は、本発明の実施形態に係る据付構造体の概念図である。
【００２７】
本発明の実施形態にかかる据付構造体は、内側に向く壁面を持つ空間である据付空間の中に据え付けられる構造体である。
据付空間Ｈは、建築物５０の内側に形成される空間であってもよい。
据付構造体６０は、主構造体１００と複数の水平支持構造２００とで構成される。
据付構造体６０は、主構造体１００と複数の水平支持構造２００と機械装置３００とで構成されてもよい。
【００２８】
主構造体１００は、複数の柱構造１１１と複数の柱構造の間に設けられ両端部を柱構造に支持される複数の梁構造１１２とで構成される。
主構造体１００は、複数の柱構造１１１と複数の柱構造の間に設けられ両端部を柱構造に支持される複数の梁構造１１２と筋交い構造１１３とで構成されてもよい。
【００２９】
水平支持構造２００は、主構造体または壁面のどちらか一方に設けられた取付箇所Ｍと取付箇所に対面する様に主構造体または壁面のどちらか他方に設けられた対面箇所Ｎとの間に設けられて主構造体１００を水平支持できる構造である。
複数の取付箇所Ｍ及び対面箇所Ｎは、上から見て、主構造体１００の周囲に各々に設けられる。
複数の取付箇所Ｍ及び対面箇所Ｎは、横から見て、主構造体１００の高さ方向に所定のピッチで設けられる。
図２乃至９は、複数の取付箇所Ｍが主構造体に設けられ、対面箇所Ｎが壁面に設けられる様子を示す。
【００３０】
機械装置３００は、主構造体１００に支持される装置である。
機械装置３００は、機械式駐車装置であってもよい。
【００３１】
以下に、本発明の第一の実施形態に係る水平支持構造２００を、図を基に、説明する。
図２は、本発明の第一の実施形態に係る水平支持構造の平面図である。図３は、本発明の第一の実施形態に係る水平支持構造の正面図である。図４は、本発明の第一の実施形態に係る水平支持構造の側面図である。図５は、本発明の第一の実施形態に係る水平支持構造のＣ−Ｃ矢視図である。図６は、本発明の第一の実施形態に係る水平支持構造のＤ−Ｄ矢視図である。
【００３２】
本発明の第一の実施形態にかかる水平支持構造２００は、複数の支持部材２１０と当接部材２２０と中間部材２３０とで構成される。
本発明の第一の実施形態にかかる水平支持構造２００は、複数の支持部材２１０と当接部材２２０と中間部材２３０と基礎部材２４０とで構成されてもよい。
図２は、梁構造１１２が柱構造１１１に結合する箇所のＸ方向に向かう面に取付箇所ＭとＹ方向に向かう面に取付箇所Ｍが設けられ、２箇所の取付箇所に対面する壁面に２つの対面箇所Ｎが各々に設定される様子を示す。
【００３３】
支持部材２１０は、長尺部材であって長手方向を水平にして一方の端部の側を取付箇所Ｍに支持され他方の端部の側を対面箇所Ｎに向ける部材である。
支持部材２１０は、棒状部材２１１と複数の締結部材２１２とで構成されてもよい。
棒状部材２１１は、円形の断面をもつ棒状の部材であってもよい。
例えば、棒状部材２１１は、全ネジのボルト部材である。
棒状部材２１１の一方の端部の側が柱構造１１１に設けられた基礎部材２４０で締結される。
又は、棒状部材２１１の一方の端部の側が柱構造１１１に設けられた取付箇所に加工される貫通孔を貫通し、締結部材２１２で締結される。
例えば、締結部材２１２は、ナットである。
締結部材２１２は、棒状部材２１１にネジ込まれて、後述する第一中間部材２３１と当接部材ベース２２６とを一体として取付箇所Ｍに押付ける。
棒状部材２１１の他方の端部が、対面箇所Ｎに向く。
例えば、棒状部材２１１の他方の端部が、壁面Ｓに設けられる対面箇所Ｎに向く。
例えば、複数の棒状部材２１１の他方の端部が後述する当接部材ベース２２６に締結部材２１２で締結される。
図２乃至６は、棒状部材２１１の一方の端部の側が柱構造１１１に設けられた基礎部材２４０を介して柱構造１１１に支持される様子を示す。
【００３４】
当接部材２２０は、弾性部材２２１と当接部材ベース２２６とで構成される。
当接部材２２０は、弾性部材２２１と弾性部材ベース２２２と当て板２２３と当接部材ベース２２６とで構成されてもよい。
当接部材２２０は、弾性部材２２１と弾性部材ベース２２２と当て板２２３と当て板支持部材２２４と締結部材２２５と当接部材ベース２２６とで構成されてもよい。
弾性部材２２１は、複数の支持部材２１０の他方の端部の側に支持され対面箇所に当接できる様に対面する当接面Ｋを形成する弾性素材でできた部材である
弾性部材ベース２２２は、弾性部材２２１と一体構造になっている。
弾性部材ベース２２２は、当て板２２３にボルト結合される。
当て板２２３は、当て板支持部材２１４に支持される。
例えば、当て板２２３は、当て板支持部材２２４の他方の端部の側に固定される。
当て板支持部材２２４は、当て板２２３を支持する部材である。
当て板支持部材２２４は、棒状部材であってもよい。
当て板支持部材２２４の一方の端部の側が、当接部材ベース２２６に支持される。
締結部材２２５は、当て板支持部材２２４の一方の端部の側を当接部材ベース２２６に固定する。
当接部材ベース２２６は、当接部材２２０のベースとなる部材である。
当接部材ベース２２６は、複数の支持部材２１０の他方の端部の側に支持される板状部材である。
【００３５】
中間部材２３０は、取付箇所Ｍと当接部材２２０との間に設けられる部材である。
中間部材２３０は、第一中間部材２３１で構成される。
第一中間部材２３１は、柱状部材であって、軸方向を水平にして一方の端部の側を取付箇所Ｍに当接し他方の端部の側を当接部材ベース２２６に当接する。
第一中間部材２３１は、中空円筒断面を有する柱状部材であってもよい。
第一中間部材２３１は、一方の端部の側を取付箇所Ｍに離間可能に当接してもよい。
第一中間部材２３１は、一方の端部の側を取付箇所Ｍに当接して固着してもよい。
第一中間部材２３１は、他方の端部の側を当接部材ベース２２６に離間可能に当接してもよい。
第一中間部材２３１は、他方の端部の側を当接部材ベース２２６に当接し固着してもよい。
【００３６】
基礎部材２４０は、水平支持構造２００を主構造体１００に固定するための部材である。
基礎部材２４０は、一対の上側基礎部材２４１ｕと一対の下側基礎部材２４１ｄとで構成されてもよい。
一対の上側基礎部材２４１ｕは、取付箇所Ｍの上側に配され柱構造１１１を挟む部材である。  
一対の下側基礎部材２４１ｄは、取付箇所Ｍの下側に配され柱構造１１１を挟む部材である。
例えば、取付箇所Ｍは、柱構造１１１に梁構造１１２が連結される箇所に設けられる。
【００３７】
複数の支持部材２１０は、上側支持部材２１０ｕと下側支持部材２１０ｄとで構成されてもよい。
上側支持部材２１０ｕは、一方の端部の側を一対の上側基礎部材２４１ｕを介して取付箇所Ｍに支持される。
下側支持部材２１０ｄは、一方の端部の側を一対の下側基礎部材２４１ｄを介して取付箇所Ｍを支持される。
【００３８】
上側支持部材２１０ｕが上側棒状部材２１１ｕと複数の上側締結部材２１２ｕとで構成されてもよい。
上側棒状部材２１１ｕは、一対の上側基礎部材２４１ｕを貫通する棒状部材２１１である。
上側締結部材２１２ｕは、上側棒状部材２１１ｕにネジ結合する締結部材２１２である。
下側支持部材２１０ｄが、下側棒状部材２１１ｄと複数の下側締結部材１２１ｄとで構成される。
下側棒状部材２１１ｄは、一対の下側基礎部材２４１ｄを貫通する棒状部材２１１である。
下側締結部材２１２ｄは、下側棒状部材２１１ｄにネジ結合する締結部材２１２である。
例えば、締結部材はナットである。
一対の上側基礎部材２４１ｕが柱構造１１１を挟み込む様に、複数の上側締結部材２１２ｕが上側棒状部材２１１ｕにねじ込まれる。
一対の下側基礎部材２４１ｄが柱構造１１１を挟み込む様に、複数の下側締結部材２１２ｄが下側棒状部材２１１ｄにねじ込まれる。
【００３９】
次に、本発明の第二の実施形態にかかる水平支持構造２００を、図を基に、説明する。
図７は、本発明の第二の実施形態に係る水平支持構造の平面図である。  
【００４０】
本発明の第二の実施形態にかかる水平支持構造２００は、複数の支持部材２１０と当接部材２２０と中間部材２３０とで構成される。
本発明の第二の実施形態にかかる水平支持構造２００は、複数の支持部材２１０と当接部材２２０と中間部材２３０と基礎部材２４０とで構成されてもよい。
図７は、梁構造１１２が柱構造１１１に結合する箇所に、Ｘ方向に向かう取付箇所ＭとＹ方向に向かう取付箇所Ｍが設けられ、２箇所の取付箇所に対面する壁面に２つの対面箇所ｎが各々に設定される様子を示す。
【００４１】
複数の支持部材２１０と当接部材２２０と基礎部材２４０の構成は、本発明の第一の実施形態にかかる水平支持構造２００のものと同じなので、説明を省略する。
【００４２】
中間部材２３０は、取付箇所Ｍと当接部材２２０との間に設けられる部材である。
中間部材２３０は、第一中間部材２３１と第二中間部材２３２とで構成される。
中間部材２３０は、第一中間部材２３１と第二中間部材２３２と第三中間部材２３３とで構成されてもよい。
【００４３】
第一中間部材２３１は、柱状部材であって、軸方向を水平にして一方の端部の側を取付箇所Ｍに当接し他方の端部の側を当接部材ベース２２６に当接する。
第一中間部材２３１は、中空円筒断面を有する柱状部材であってもよい。
第一中間部材２３１は、一方の端部の側を取付箇所Ｍに離間可能に当接してもよい。
第一中間部材２３１は、一方の端部の側を取付箇所Ｍに当接して固着してもよい。
第一中間部材２３１は、他方の端部の側を当接部材ベース２２６に離間可能に当接してもよい。
第一中間部材２３１は、他方の端部の側を当接部材ベース２２６に当接し固着してもよい。
【００４４】
第二中間部材２３２は、取付箇所Ｍと当接部材２２０との間にある位置である特定位置に設けられる部材である。
例えば、第二中間部材２３２は、取付箇所Ｍと当接部材ベース２２６との間にある位置である特定位置に設けられる部材である。
第二中間部材２３２は複数の支持部材２１０と第一中間部材２３１とに各々に貫通される。
例えば、第二中間部材２３２は複数の棒状部材２１１と第一中間部材２３１とに各々に貫通される。
第二中間部材２３２は複数の棒状部材２１１に貫通される貫通孔と第一中間部材２３１に貫通される貫通孔とを設けられる。
第二中間部材２３２は、板状部材であって、面を棒状部材２１１と第一中間部材２３１の軸方向と交差する様に設けられる。
【００４５】
第三中間部材２３３は、第二中間部材２３２を支持部材に固定する部材である。
例えば、第三中間部材２３３は、締結部材である。
例えば、第三中間部材２３３は、ナットである。
第三中間部材２３３は、棒状部材２１１にねじ込まれてもよい。
【００４６】
次に、本発明の第三の実施形態にかかる水平支持構造を、図を基に、説明する。
図８は、本発明の第三の実施形態にかかる水平支持構造の平面図である。
【００４７】
本発明の第三の実施形態にかかる水平支持構造２００は、複数の支持部材２１０と当接部材２２０と中間部材２３０とで構成される。
本発明の第三の実施形態にかかる水平支持構造２００は、複数の支持部材２１０と当接部材２２０と中間部材２３０と基礎部材２４０とで構成されてもよい。
図２は、梁構造１１２が柱構造１１１に結合する箇所のＸ方向に向かう面に取付箇所ＭとＹ方向に向かう面に取付箇所Ｍが設けられ、２箇所の取付箇所に対面する壁面に２つの対面箇所Ｎが各々に設定される様子を示す。
【００４８】
支持部材２１０と中間部材２３０の構造は、第一の実施形態にかかる水平支持構造のものと同じなので、説明を省略する。
【００４９】
当接部材２２０は、弾性部材２２１と当接部材ベース２２６とで構成される。
当接部材２２０は、弾性部材２２１と弾性部材ベース２２２と当接部材ベース２２６とで構成されてもよい。
弾性部材２２１は、複数の支持部材２１０の他方の端部の側に支持され対面箇所Ｎに当接できる様に対面する当接面Ｋを形成する弾性素材とでできた部材である
弾性部材ベース２２２は、弾性部材２２１と一体構造になっている。
弾性部材ベース２２２は、当接部材ベース２２６に固定される。
当接部材ベース２２６は、当接部材２２０のベースとなる部材である。
当接部材ベース２２６は、複数の支持部材２１０の他方の端部の側に支持される板状部材である。
弾性部材２２１と当接部材ベース２２６とが一体構造になっていてもよい。
【００５０】
次に、本発明の第四の実施形態にかかる水平支持構造を、図を基に、説明する。
図９は、本発明の第四の実施形態にかかる水平支持構造の平面図である。
【００５１】
本発明の第四の実施形態にかかる水平支持構造２００は、複数の支持部材２１０と当接部材２２０と中間部材２３０とで構成される。
本発明の第四の実施形態にかかる水平支持構造２００は、複数の支持部材２１０と当接部材２２０と中間部材２３０と基礎部材２４０とで構成されてもよい。
図９は、梁構造１１２が柱構造１１１に結合する箇所のＸ方向に向かう面に取付箇所ＭとＹ方向に向かう面に取付箇所Ｍが設けられ、２箇所の取付箇所に対面する壁面に２つの対面箇所Ｎが各々に設定される様子を示す。
【００５２】
支持部材２１０と当接部材２２０と基礎部材２４０の構造は、第一の実施形態にかかる水平支持構造のものと同じなので、説明を省略する。
【００５３】
中間部材２３０は、取付箇所Ｍと当接部材２２０との間に設けられる部材である。
中間部材２３０は、複数の第一中間部材２３１で構成される。
第一中間部材２３１は、中空の柱状部材であって、軸方向を水平にして一方の端部の側を取付箇所Ｍに当接し他方の端部の側を当接部材ベース２２６に当接する。
当て板支持部材２２４が、第一中間部材２３１の中空部分を貫通する。
当て板支持部材２２４と締結部材２２５とが第一中間部材２３１の中空部分を貫通してもよい。
または、支持部材２１０が、第一中間部材２３１の中空部分を貫通してもよい。
第一中間部材２３１は、中空円筒断面を有する柱状部材であってもよい。
第一中間部材２３１は、一方の端部の側を取付箇所Ｍに離間可能に当接してもよい。
第一中間部材２３１は、一方の端部の側を取付箇所Ｍに当接して固着してもよい。
第一中間部材２３１は、他方の端部の側を当接部材ベース２２６に離間可能に当接してもよい。
第一中間部材２３１は、他方の端部の側を当接部材ベース２２６に当接し固着してもよい。
図９は、当て板支持部材２２４と締結部材２２５とが第一中間部材２３１の中空部分を貫通する様子を示す。
【００５４】
また、本発明の実施形態に係る据付構造体は、その構成により、以下の効果を有する。
複数の支持部材２１０が一方の端部の側を取付箇所Ｍにを支持され、対面箇所Ｎに向けた他方の端部の側が対面箇所Ｎに対面する当接面Ｋを形成する弾性素材でできた弾性部材２２１を支持する当接部材ベース２２６を支持し、第一中間部材２３１が取付箇所Ｍに一方の端部の側を当接し他方の端部の側を当接部材ベース２２６に当接する様にしたので、弾性部材２２１が対面箇所Ｎに当接したときに水平支持構造２００が当接部材ベース２２６と第一中間部材２３１とを介して主構造体１００を水平支持できる。
また、締結部材２１２が棒状部材２１１にネジ結合して第一中間部材２３１と当接部材ベース２２６とを一体として取付箇所Ｍに押付ける様にしたので、弾性部材２２１が対面箇所Ｎに当接したときに水平支持構造２００が一体となった当接部材ベース２２６と第一中間部材２３１とを介して主構造体１００を水平支持できる。
また、複数の支持部材２１０と第一中間部材２３１とに各々に貫通される第二中間部材２３２が取付箇所Ｍと当接部材との間に位置する様にしたので、水平支持構造２００の取付箇所Ｍに近い箇所の剛性を上げられる。
また、第三中間部材２３３が第二中間部材２３２を支持部材２１０に固定する様にしたので、第二中間部材２３２のずれを抑制できる。
また、取付箇所Ｍの上下に配され柱構造１１１を挟む一対の上側基礎部材２４１ｕと一対の下側基礎部材２４１ｄを設け、支持部材２１０の上側支持部材２１０ｕと下側支持部材２１０ｄとの一方の端部の側を一対の上側基礎部材２４１ｕと一対の下側基礎部材２４１ｄを介して取付箇所Ｍに支持される様にしたので、水平支持構造２００を特別な加工をしていない主構造体１００に取付ることができる。
また、一対の上側基礎部材２４１ｕが柱構造１１１を挟み込む様に複数の上側締結部材２１２ｕが一対の上側基礎部材２４１ｕを貫通する上側棒状部材２１１ｕにねじ込まれ、
一対の下側基礎部材２４１ｄが柱構造１１１を挟み込む様に複数の下側締結部材２１２ｄが一対の下側基礎部材２４１ｄを貫通する下側棒状部材２１１ｄにねじ込まれる様にしたので、水平支持構造２００を特別な加工をしていない主構造体１００に取付ることができる。
【００５５】
以上説明したように、本発明に係る複数の柱構造１１１と複数の柱構造１１１の間に設けられ両端部を柱構造１１１に支持される複数の梁構造１１２とを持つ主構造体１００に支持される機械装置３００とを有し内側に向く壁面を持つ空間である据付空間Ｈの中に据え付けられる主構造体１００を水平支持できる水平支持構造２００は、その構成により、以下の効果を有する。
複数の支持部材２１０が一方の端部の側を取付箇所Ｍにを支持され、対面箇所Ｎに向けた他方の端部の側が対面箇所Ｎに対面する当接面Ｋを形成する弾性素材でできた弾性部材２２１を支持する当接部材ベース２２６を支持し、第一中間部材２３１が取付箇所Ｍに一方の端部の側を当接し他方の端部の側を当接部材ベース２２６に当接する様にしたので、弾性部材２２１が対面箇所Ｎに当接したときに水平支持構造２００が当接部材ベース２２６と第一中間部材２３１とを介して主構造体１００を水平支持できる。
また、締結部材２１２が棒状部材２１１にネジ結合して第一中間部材２３１と当接部材ベース２２６とを一体として取付箇所Ｍに押付ける様にしたので、弾性部材２２１が対面箇所Ｎに当接したときに水平支持構造２００が一体となった当接部材ベース２２６と第一中間部材２３１とを介して主構造体１００を水平支持できる。
また、複数の支持部材２１０と第一中間部材２３１とに各々に貫通される第二中間部材２３２が取付箇所Ｍと当接部材との間に位置する様にしたので、水平支持構造２００の取付箇所Ｍに近い箇所の剛性を上げられる。
また、第三中間部材２３３が第二中間部材２３２を支持部材２１０に固定する様にしたので、第二中間部材２３２のずれを抑制できる。
また、取付箇所Ｍの上下に配され柱構造１１１を挟む一対の上側基礎部材２４１ｕと一対の下側基礎部材２４１ｄを設け、支持部材２１０の上側支持部材２１０ｕと下側支持部材２１０ｄとの一方の端部の側を一対の上側基礎部材２４１ｕと一対の下側基礎部材２４１ｄを介して取付箇所Ｍに支持される様にしたので、水平支持構造２００を特別な加工をしていない主構造体１００に取付ることができる。
また、一対の上側基礎部材２４１ｕが柱構造１１１を挟み込む様に複数の上側締結部材２１２ｕが一対の上側基礎部材２４１ｕを貫通する上側棒状部材２１１ｕにねじ込まれ、
一対の下側基礎部材２４１ｄが柱構造１１１を挟み込む様に複数の下側締結部材２１２ｄが一対の下側基礎部材２４１ｄを貫通する下側棒状部材２１１ｄにねじ込まれる様にしたので、水平支持構造２００を特別な加工をしていない主構造体１００に取付ることができる。
【００５６】
本発明は以上に述べた実施形態に限られるものではなく、発明の要旨を逸脱しない範囲で各種の変更が可能である。
取付箇所Ｍを主構造体１００に設け、対面箇所Ｎを壁面Ｓに設ける構造を例に説明したが、これに限定されない。取付箇所Ｍを壁面Ｓに設け、対面箇所Ｎを主構造体１００に設けてもよい。
【符号の説明】
【００５７】
Ｈ  据付空間
Ｓ  壁面
Ｍ  取付箇所
Ｎ  対面箇所
Ｋ  当接面
５０  建築物
６０  据付構造体
１００  主構造体
１１１  柱構造
１１２  梁構造
１１３  筋交い構造
２００  水平支持構造
２１０  支持部材
２１１  棒状部材
２１１ｕ  上側棒状部材
２１１ｄ  下側棒状部材
２１２  締結部材
２１２ｕ  上側締結部材
２１２ｄ  下側締結部材
２２０  当接部材
２２１  弾性部材
２２２  弾性部材ベース
２２３  当て板
２２４  当て板支持部材
２２５  締結部材
２２６  当接部材ベース
２３０  中間部材
２３１  第一中間部材
２３２  第二中間部材
２３３  第三中間部材
２４０  基礎部材
２４１ｕ  上側基礎部材
２４１ｄ  下側基礎部材
３００  機械装置（駐車機構）
【先行技術文献】
【特許文献】
【００５８】
【特許文献１】特開２００８−１１５６１６号
【特許文献２】特開２００９−２６３８８０号
【特許文献３】特開２００９−１１４６５１号
【特許文献４】特開平１１−２８０２８８号
【図１】
2017172110.tif 000003
【図２】
2017172110.tif 000004
【図３】
2017172110.tif 000005
【図４】
2017172110.tif 000006
【図５】
2017172110.tif 000007
【図６】
2017172110.tif 000008
【図７】
2017172110.tif 000009
【図８】
2017172110.tif 000010
【図９】
2017172110.tif 000011